(57)【要約】【課題】  温湯タンクと種籾容器の吊り構造とを一体化して、設置状況や作業形態の状況等に応じた設置や移設等を容易に行うことができる種籾の温湯消毒装置を提供する。【解決手段】  温湯消毒装置１は、種籾を温湯に浸す温湯タンク２と、種籾を収容する通水性の種籾容器３と、温湯タンク２上で種籾容器３を上下動案内する種籾容器の吊り構造４とで構成されている。種籾容器の吊り構造４は、種籾容器３を温湯タンク２に張った所定水位の温湯に浸す下降位置と、温湯から引き上げる上昇位置でそれぞれ係止する構成である。種籾容器の吊り構造４は、種籾容器３を吊りバネ９，９により上昇方向に弾力支持されていて、種籾容器３を温湯に浸かる位置まで押し下げると係止され、その係止を解除すると上昇する構成となっている。【選択図】        図１
2007049921.tif 000002
【特許請求の範囲】
【請求項１】
種籾を温湯に浸して病原菌を死滅ないしは不活化する種籾の温湯消毒装置であって、種籾を温湯に浸す温湯タンクと、種籾を収容する通水性の種籾容器と、温湯タンク上で種籾容器を上下動案内する種籾容器の吊り構造とで構成され、上記種籾容器の吊り構造は、種籾容器を温湯タンクに張った所定水位の温湯に浸す下降位置と、温湯から引き上げる上昇位置でそれぞれ係止する構成であることを特徴とする種籾の温湯消毒装置。
【請求項２】
温湯タンク上で種籾容器を上下動案内する種籾容器の吊り構造の種籾容器を温湯タンクに張った所定水位の温湯から引き上げる上昇位置は、種籾容器の底部が温湯に浸かっている高さであることを特徴とする請求項１記載の種籾の温湯消毒装置。
【請求項３】
温湯タンク上で種籾容器を上下動案内する種籾容器の吊り構造は、種籾容器を上昇方向に弾力支持されていて、種籾容器を温湯に浸かる位置まで押し下げると係止され、その係止を解除すると上昇する構成であることを特徴とする請求項１または２記載の種籾の温湯消毒装置。
【請求項４】
温湯タンクの左右いずれか一方の作業領域に、温湯消毒後の種籾を冷却する冷水タンクを配置したことを特徴とする請求項１、２または３記載の種籾の温湯消毒装置。
【請求項５】
温湯タンクの左右いずれか一方の作業領域に種籾を載せる作業台を配置し、かつそのいずれか他方の作業領域に温湯消毒後の種籾を冷却する冷水タンクを配置したことを特徴とする請求項１、２または３記載の種籾の温湯消毒装置。
【請求項６】
温湯消毒後の種籾を冷却する冷水タンクには、水切り機能を備えた作業台を並設したことを特徴とする請求項４または５記載の種籾の温湯消毒装置。
【請求項７】
冷水タンク内に、種籾を貯留冷水の水面近くに浸漬するための嵩上げ台を設けてあることを特徴とする請求項４、５または６記載の種籾の温湯消毒装置。
【発明の詳細な説明】
【技術分野】
【０００１】
本発明は、種籾を温湯に浸して種籾の表面に付着しまたは籾殻と果皮との間に潜む病原菌（いもち病、ばか苗病、苗立枯細菌病、ごま葉枯病、褐条病、もみ枯細菌病など）を死滅ないしは不活化する種籾の温湯消毒装置に関するものである。
【背景技術】
【０００２】
種籾を所定温度の温湯に所定時間浸すことにより、種籾の表面に付着または籾殻と果皮との間に潜む病原菌を死滅ないしは不活化（以下、消毒という）する装置であって、種籾を収容した種籾容器を自走クレーンで吊り下げて温湯タンクに出し入れする種籾の温湯消毒装置は、特開２００４−２９００１１公報、特開２００３−２３５３０８公報、特開平１１−３１８１１８号公報および特開２００２−３２５５０５公報に記載されている。
【０００３】
【特許文献１】特開２００４−２９００１１公報
【特許文献２】特開２００３−２３５３０８公報
【特許文献３】特開平１１−３１８１１８号公報
【特許文献４】特開２００２−３２５５０５公報
【発明の開示】
【発明が解決しようとする課題】
【０００４】
前掲の特開２００４−２９００１１公報、特開２００３−２３５３０８公報、特開平１１−３１８１１８号公報および特開２００２−３２５５０５公報が紹介するように、温湯タンクや冷却槽などを配置した空間を跨ぐように自走クレーンを設備して、温湯タンクや冷却槽に対する種籾容器の上げ下げや吊り上げた種籾容器の移動作業などを行うようにしたものでは、自走クレーンを装備するため、作業場に四脚となる支柱を構築するか、あるいは建屋の天井や梁を利用してクレーンの桁構造を構築しなければならないところから、自走クレーン自体が大掛かりになるばかりでなく、自走クレーンが構築物のため温湯タンクとの一体化が図れないため、作業形態等の状況によって移設を要する場合であってもそれを妨げる要因となる。
【０００５】
そこで本発明は、前述のような従来のものの問題点を解消しようとするものであって、種籾を温湯に浸す温湯タンクと、種籾を収容する通水性の種籾容器と、温湯タンク上で種籾容器を上下動案内する種籾容器の吊り構造とで構成し、種籾容器の吊り構造として、種籾容器を温湯タンクに張った所定水位の温湯に浸す下降位置と、温湯から引き上げる上昇位置でそれぞれ係止する構成とすることにより、温湯タンクと種籾容器の吊り構造とを一体化して、設置状況や作業形態の状況等に応じた設置や移設等を容易に行うことができるとともに、温湯タンクを中心とする種籾の消毒作業の効率化と省力化を図ることができる種籾の消毒装置を提供することを目的とするものである。
【課題を解決するための手段】
【０００６】
上記目的を達成するため、本発明は請求項１ないし７に係る種籾の温湯消毒装置を提供する。すなわち、請求項１に係る種籾の温湯消毒装置は、種籾を温湯に浸して病原菌を死滅ないしは不活化する種籾の温湯消毒装置であって、種籾を温湯に浸す温湯タンクと、種籾を収容する通水性の種籾容器と、温湯タンク上で種籾容器を上下動案内する種籾容器の吊り構造とで構成され、上記種籾容器の吊り構造は、種籾容器を温湯タンクに張った所定水位の温湯に浸す下降位置と、温湯から引き上げる上昇位置でそれぞれ係止する構成であることを特徴とするものである。
【０００７】
請求項２に係る種籾の温湯消毒装置は、請求項１記載の構成において、温湯タンク上で種籾容器を上下動案内する種籾容器の吊り構造の種籾容器を温湯タンクに張った所定水位の温湯から引き上げる上昇位置は、種籾容器の底部が温湯に浸かっている高さであることを特徴とするものである。
【０００８】
請求項３に係る種籾の温湯消毒装置は、請求項１または２記載の構成において、温湯タンク上で種籾容器を上下動案内する種籾容器の吊り構造は、種籾容器を上昇方向に弾力支持されていて、種籾容器を温湯に浸かる位置まで押し下げると係止され、その係止を解除すると上昇する構成であることを特徴とするものである。
【０００９】
請求項４に係る種籾の温湯消毒装置は、請求項１、２または３記載の構成において、温湯タンクの左右いずれか一方の作業領域に、温湯消毒後の種籾を冷却する冷水タンクを配置したことを特徴とするものである。
【００１０】
請求項５に係る種籾の温湯消毒装置は、請求項１、２または３記載の構成において、温湯タンクの左右いずれか一方の作業領域に種籾を載せる作業台を配置し、かつそのいずれか他方の作業領域に温湯消毒後の種籾を冷却する冷水タンクを配置したことを特徴とするものである。
【００１１】
請求項６に係る種籾の温湯消毒装置は、請求項４または５記載の構成において、温湯消毒後の種籾を冷却する冷水タンクには、水切り機能を備えた作業台を並設したことを特徴とするものである。
【００１２】
請求項７に係る種籾の温湯消毒装置は、請求項４、５または６記載の構成において、冷水タンク内に、種籾を貯留冷水の水面近くに浸漬するための嵩上げ台を設けてあることを特徴とするものである。
【発明の効果】
【００１３】
本発明によれば、種籾を温湯に浸す温湯タンクと、種籾を収容する通水性の種籾容器と、温湯タンク上で種籾容器を上下動案内する種籾容器の吊り構造とで構成し、種籾容器の吊り構造として、種籾容器を温湯タンクに張った所定水位の温湯に浸す下降位置と、温湯から引き上げる上昇位置でそれぞれ係止する構成とすることにより、温湯タンクと種籾容器の吊り構造とを一体化して、設置状況や作業形態の状況等に応じた設置や移設等を容易に行うことができるとともに、温湯タンクを中心とする種籾の消毒作業の効率化と省力化を図ることができる。
【発明を実施するための最良の形態】
【００１４】
図１は本発明の一実施の形態に係る種籾の温湯消毒装置の斜視図、図２は同上縦断正面図、図３は本発明の他の実施の形態に係る種籾の温湯消毒装置の断面図、図４は本発明のさらに他の実施の形態に係る種籾の温湯消毒装置の断面図である。
【００１５】
図１および図２において、１は種籾の温湯消毒装置である。この種籾の温湯消毒装置１は、温湯タンク２と、種籾を収容する多孔状で通水性の種籾容器３と、温湯タンク２上で種籾容器３を上下動案内する種籾容器の吊り構造４とで構成されている。上記種籾容器の吊り構造４は、種籾容器３を温湯タンク１に張った所定水位の温湯ａに浸す下降位置と、温湯ａから引き上げる上昇位置でそれぞれ係止する構成となっている。すなわち、温湯タンク２の背面側に固定支持した左右一対の支柱５、５に架設した横桁６に吊り筒体７を垂下固定し、その吊り筒体７に可動筒体８を伸縮自在に装着してあって、可動筒体８の下端に種籾容器３を吊り下げてあり、吊り筒体７の下部の筒体８が左右２本の吊りバネ９，９によって上昇方向に弾力支持されている。そして、種籾容器３をその左右の把手１０，１０を持って温湯に全体が浸かる位置（図２に破線で示す位置）まで押し下げると係止され、その係止解除レバー１１を引いて係止状態を解除すると吊りバネ９，９の弾力によって上昇するように構成されている。１２は給湯機、１３は温湯噴出部、１４はスノコであって、温湯タンク２内の温湯ａは、給湯機１２との間を循環させて温湯ａの温度を所定範囲に保つようになっている。なお、吊りバネ９，９を備えないで種籾容器３を手動で上昇させる構成としたり、また、吊りバネ９，９の弾力を手動上昇を軽快にするための補助力とする構成としてもよい。
【００１６】
係止解除レバー１１を引いて係止状態を解除すると吊りバネ９，９の弾力（または手動）によって上昇する種籾容器３の上昇位置は、図２に実線で示すように、種籾容器３の底部が温湯ａにある程度浸かっている高さである。なお、種籾容器３の上昇位置は、必要に応じて温湯ａの水面上から完全に出た高さとすることもできる。
【００１７】
種籾の温湯消毒を行うには、種籾を余裕をもたせて詰めた網袋を適宜個数、上昇位置にある種籾容器３に手作業で収め、次いで種籾容器３の把手１０，１０を持って押し下げると、種籾容器３は種籾が温湯ａ中に浸かった状態で係止されてその状態が保持され、温湯消毒が開始される。種籾を温湯ａに浸漬する時間は１０分間程度（温湯ａの温度は６０℃程度）であるから、その時間の経過した際には、係止解除レバー１１を引いて種籾容器３をその底部が温湯ａにある程度浸かっている高さ上昇させたうえ、網袋を手作業で取り出して次工程に移行する。なお、網袋を扱う手作業にはゴム手袋などを着用するとよい。
【００１８】
図３に示す実施の形態にあっては、図１および図２に示す温湯タンク２の右側の作業領域に、温湯消毒後の種籾を冷却する冷水タンク１５を配置し、かつ左側の作業領域には種籾を詰めた網袋を載せる作業台１６を配置するとともに、冷水タンク１５の右側には水切り機能を備えた作業台１７を並設してある。また、冷水タンク１５内には、種籾を貯留冷水の水面ｂ近くに浸漬するための嵩上げ台（スノコ）１８を設けてある。その他の構成は図１に示すものと同構成である。
【００１９】
図３に示す実施の形態においては、種籾を詰めた網袋は適宜作業台１６上に運んで載せておき、上昇位置にある種籾容器３に手作業で網袋を適宜個数収め、次いで種籾容器３の把手１０，１０を持って押し下げると、種籾容器３は種籾が温湯ａ中に浸かった状態で係止されてその状態が保持され、温湯消毒が開始される。次いで、所定の温湯消毒時間が経過した時点で係止解除レバー１１を引いて種籾容器３をその底部が温湯ａにある程度浸かっている高さ上昇させたうえ、種籾容器３から網袋を手作業で取り出し、冷水タンク１５の嵩上げ台１８上に載せて冷却する。所定時間冷水に浸漬して種籾を冷却した網袋ｃは手作業で作業台１７上に移し、水切り後に所定の場所へ搬出する。
【００２０】
図１および図２または図３に示した種籾の温湯消毒装置１によれば、温湯タンク２内の温湯ａに浸漬する種籾容器３は、温湯ａから上昇させた状態でもその底部が温湯ａに浸っているので、種籾容器３は保温状態となる。このため、次の温湯消毒工程に移行した際の温湯ａの温度低下が少なく、温湯消毒する種籾を当初から速やかに所定の温度に保つことができるので、種籾の発芽能を損なうことなく高い温湯消毒効果を期待することができる。ところで、従来の種籾の温湯消毒装置では、温湯消毒後に種籾容器ごと冷水に浸して種籾の冷却を行っていたので、その冷却工程で種籾容器の温度が大きく下がってしまい、次の温湯消毒工程においては種籾容器自体の温度が低いことが浸漬後の温湯の温度低下につながり、温湯の温度の回復までの時間が長引き、それが温湯消毒効果を損なうもととなっていたのに比べて、本発明に係る種籾の温湯消毒装置は大いに優れているものである。
【００２１】
また、温湯消毒後の種籾（網袋）を種籾容器３から取り出す工程は、種籾容器３を温湯タンク２の温湯ａから大部分出ている状態の手作業であり、特に図３に示した実施の形態にあっては、冷水タンク１５では網袋を嵩上げ台１８上に載せて冷水ｂの水面近くに浸漬するので、これを取り出す際の手作業も冷水に深く手を入れる必要がなく、寒冷時であっても快適に作業を行うことができる点でも一段と優れている。
【００２２】
本発明に係る種籾の温湯消毒装置は、必ずしも図１および図２または図３に示す構成でなくても、図４に示すようにホイスト１９による種籾容器３の吊り上げ構成とすることもできる。なお、図４に示す実施の形態において、その他の構成は図１および図２または図３に示すものと同構成であるから、同構成箇所には同符号を付してその説明を省略する。
【図面の簡単な説明】
【００２３】
【図１】本発明の一実施の形態に係る種籾の温湯消毒装置の斜視図である。
【図２】同上縦断正面図である。
【図３】本発明の他の実施の形態に係る種籾の温湯消毒装置断面図である。
【図４】本発明のさらに他の実施の形態に係る種籾の温湯消毒装置断面図である。
【符号の説明】
【００２４】
１  種籾の温湯消毒装置
２  温湯タンク
３  種籾容器
４  種籾容器の吊り構造
５，５  左右一対の支柱
６  横桁
７  吊り筒体
８  可動筒体
９，９  吊りバネ
１０，１０  把手
１１  係止解除レバー
１２  給湯機
１３  温湯噴出部
１４  スノコ
１５  冷水タンク
１６  作業台
１７  水切り機能を備えた作業台
１８  嵩上げ台（スノコ）
１９  ホイスト
ａ  温湯
ｂ  冷水
ｃ  種籾を詰めた網袋
【図１】
2007049921.tif 000003
【図２】
2007049921.tif 000004
【図３】
2007049921.tif 000005
【図４】
2007049921.tif 000006